(57)【要約】      （修正有）【課題】簡易構成によって低コストで製造でき、部品管理・現場搬入が容易であり、現場での取付作業が省略された耐震ないし防振可能な構成の床置式配管支持具を提供する。【解決手段】台座２の上面であって２本の支持ボルト３間に、弾性を有する線状材ないし棒状材から成る防振体５が、水平方向へ回動可能に回動軸部６を介して取り付けられ、防振体の両端には下方に折り曲げられた折曲部５１を有し、折曲部が台座の上面に位置する際は、折曲部の下端が台座の上面に当接すると共に、防振体が回動軸部の位置する中央部分を基点としてその両側が上方に彎曲した変形状態にあり、防振体を水平方向へ回動させた際は、防振体が湾曲した変形状態から復帰することにより折曲部の下端が取付面に当接する構成である。【選択図】図１
2019196786.tif 000002
【特許請求の範囲】
【請求項１】
床面等の取付面に固定される台座の両端近傍から各１本の支持ボルトを起立させ、この２本の支持ボルト間に架け渡した支持バンドに配管を支持固定する構成の床置式配管支持具において、
前記台座の上面であって前記２本の支持ボルト間に、弾性を有する線状材ないし棒状材から成る防振体が、水平方向へ回動可能に回動軸部を介して取り付けられており、
前記防振体の両端には下方に折り曲げられた折曲部を有し、
この折曲部が台座の上面に位置する際は、折曲部の下端が台座の上面に当接すると共に、該防振体が回動軸部の位置する中央部分を基点としてその両側が上方に彎曲した変形状態にあり、
前記防振体を水平方向へ回動させて前記折曲部が台座の上面から外れた位置となった際は、該防振体が湾曲した変形状態から復帰することにより折曲部の下端が取付面に当接する構成であること、
を特徴とする床置式配管支持具。
【請求項２】
回動軸部が台座に螺合固定される構成であることを特徴とする請求項１に記載の床置式配管支持具。
【請求項３】
回動軸部が台座にカシメ固定される構成であることを特徴とする請求項１に記載の床置式配管支持具。
【請求項４】
防振体が、その長手方向が配管軸方向と一致した状態まで回動した際に、更なる回動を規制する突起部が台座上面に設けられた構成であることを特徴とする請求項１〜３のいずれかに記載の床置式配管支持具。
【請求項５】
折曲部の下端が延長されると共に更に水平方向に折り曲げられることにより、取付面に線接触する接地部が連設される構成であることを特徴とする請求項１〜４のいずれかに記載の床置式配管支持具。
【請求項６】
接地部が、丸曲げ加工され、この丸曲げ部分内に透孔が形成されており、該透孔を介してボルトの如き固定手段により取付面に防振体を固定することが可能な構成であることを特徴とする請求項５に記載の床置式配管支持具。
【請求項７】
接地部が、潰し加工され、この潰し部分に透孔が形成されており、該透孔を介してボルトの如き固定手段により取付面に防振体を固定することが可能な構成であることを特徴とする請求項５に記載の床置式配管支持具。
【発明の詳細な説明】
【技術分野】
【０００１】
本発明は床置式配管支持具に関し、詳しくは水道管等の配管類を床面や壁面等の取付面から一定の高さで且つ耐震ないし防振可能に支持する床置式配管支持具に関する。
【背景技術】
【０００２】
配管を床面や壁面等の取付面から一定の高さで配管を支持する床置式配管支持具において、耐震ないし防振対策を施す技術としては、例えば、特許文献１に記載の技術等が知られている。
【０００３】
特許文献１に記載の技術によれば、支持ボルトに止着固定される止着固定部と台座の幅方向に延伸して取付面に接地する延伸支持部とを有する構成の転倒防止具によって、床置式配管支持具の耐震ないし防振を図ることが可能である。
【先行技術文献】
【特許文献】
【０００４】
【特許文献１】特開２００６−２２６４７９号公報
【発明の概要】
【発明が解決しようとする課題】
【０００５】
しかし特許文献１に記載の技術では、転倒防止具の構成が複雑であるだけでなく床置式配管支持具とは別体構成であるため、長尺物の配管の支持に必要な個数を考慮すると、製造コストが高くなるだけでなく、部品管理・現場搬入が煩雑となり、更には現場での各床置式配管支持具への取付作業に手間がかかり作業性が低くなり易いという問題点を有している。
【０００６】
そこで本発明の課題は、簡易な構成によって低コストで製造することができ、部品管理・現場搬入が容易であり、現場での取付作業が省略された耐震ないし防振可能な構成の床置式配管支持具を提供することにある。
【課題を解決するための手段】
【０００７】
上記課題を解決する本発明は下記構成を有する。
【０００８】
１．床面等の取付面に固定される台座の両端近傍から各１本の支持ボルトを起立させ、この２本の支持ボルト間に架け渡した支持バンドに配管を支持固定する構成の床置式配管支持具において、
前記台座の上面であって前記２本の支持ボルト間に、弾性を有する線状材ないし棒状材から成る防振体が、水平方向へ回動可能に回動軸部を介して取り付けられており、
前記防振体の両端には下方に折り曲げられた折曲部を有し、
この折曲部が台座の上面に位置する際は、折曲部の下端が台座の上面に当接すると共に、該防振体が回動軸部の位置する中央部分を基点としてその両側が上方に彎曲した変形状態にあり、
前記防振体を水平方向へ回動させて前記折曲部が台座の上面から外れた位置となった際は、該防振体が湾曲した変形状態から復帰することにより折曲部の下端が取付面に当接する構成であること、
を特徴とする床置式配管支持具。
【０００９】
２．回動軸部が台座に螺合固定される構成であることを特徴とする上記１に記載の床置式配管支持具。
【００１０】
３．回動軸部が台座にカシメ固定される構成であることを特徴とする上記１に記載の床置式配管支持具。
【００１１】
４．防振体が、その長手方向が配管軸方向と一致した状態まで回動した際に、更なる回動を規制する突起部が台座上面に設けられた構成であることを特徴とする上記１〜３のいずれかに記載の床置式配管支持具。
【００１２】
５．折曲部の下端が延長されると共に更に水平方向に折り曲げられることにより、取付面に線接触する接地部が連設される構成であることを特徴とする上記１〜４のいずれかに記載の床置式配管支持具。
【００１３】
６．接地部が、丸曲げ加工され、この丸曲げ部分内に透孔が形成されており、該透孔を介してボルトの如き固定手段により取付面に防振体を固定することが可能な構成であることを特徴とする上記５に記載の床置式配管支持具。
【００１４】
７．接地部が、潰し加工され、この潰し部分に透孔が形成されており、該透孔を介してボルトの如き固定手段により取付面に防振体を固定することが可能な構成であることを特徴とする上記５に記載の床置式配管支持具。
【発明の効果】
【００１５】
請求項１に示す発明によれば、簡易な構成によって低コストで製造することができ、部品管理・現場搬入が容易であり、現場での取付作業が省略された耐震ないし防振可能な構成の床置式配管支持具を提供することができる。
【００１６】
特に、台座に回動可能に取り付けられた防振体を取付面に取り付ける際に、格別の治具・工具等を用いるまでもなく、回動させるだけで耐震・防振性を発揮させることができる。かかる構成は極めて簡易な構成であるため、低コストで製造することができ、しかも別体構成ではなく台座の上面に重層した状態で取り付けられた構成なので、床置式配管支持具と一緒に製品管理を行うことができるので、部品管理・現場搬入の際の手間等が増加することがない。更に、現場において床置式配管支持具に取り付ける作業が不要であるため作業性が低下することがない。
【００１７】
また、防振体は弾性を有する線状材ないし棒状材から形成されているため、極めて低コストで製造でき、しかも震動・振動を吸収して軽減する機能を有し、耐震ないし防振性を発揮することができる。
更に、防振体によって発揮される耐震ないし防振性は、台座を平板構成から成る板材から形成しても発揮されるため、コストアップを招くことなく提供することが可能である。
【００１８】
請求項２に示す発明によれば、配管支持具の分野において極めて一般的な技術手段であるネジ・ボルト等による螺合によって回動可能に固定する構成のため、極めて低コストである。
【００１９】
請求項３に示す発明によれば、配管支持具の分野において極めて一般的な技術手段であるカシメによって回動可能に固定する構成のため、極めて低コストである。
【００２０】
請求項４に示す発明によれば、耐震ないし防振性が最も発揮される向きに防振体を固定することができる。
【００２１】
請求項５に示す発明によれば、取付面に対する防振体の接地面積を増やすことができるので、耐震ないし防振性がより向上する。
【００２２】
請求項６又は７に示す発明によれば、床置式配管支持具の取付面に対する固定をより強固にすることができるため、耐震ないし防振性を更に向上させることができる。
【図面の簡単な説明】
【００２３】
【図１】本発明に係る床置式配管支持具の一実施例を示す斜視図
【図２】図１の正面図（但し、防振体は台座上に重層した状態）
【図３】図２のＩＩＩ−ＩＩＩ線断面図
【図４】図１の正面図（防振体を回動させた状態）
【図５】図４のＶ−Ｖ線断面図
【図６】図４のＶＩ方向から見た右側面図
【図７】防振体の他の実施例を示す斜視図
【図８】防振体の他の実施例を示す部分斜視図
【図９】防振体の他の実施例を示す部分斜視図
【発明を実施するための形態】
【００２４】
次に、添付の図面に従って本発明を詳細に説明する。
【００２５】
本発明に係る床置式配管支持具は、１本又は２本以上のガス管・給水管・給湯管・回線保護管等の配管類を、天井面・壁面・床面等の取付面から一定の高さで耐震ないし防振性を発揮させた状態で支持固定するものである。
【００２６】
本発明の床置式配管支持具１の具体的構成としては、図１〜図６に示す実施例によれば、
床面等の取付面７（図６に仮想線で示す。）に固定される台座２の両端近傍から各１本の支持ボルト３・３を起立させ、この２本の支持ボルト３・３間に架け渡した支持バンド４に配管を支持固定する構成において、
前記台座２の上面であって前記２本の支持ボルト３・３間に、弾性を有する線状材ないし棒状材から成る防振体５が水平方向に回動可能に回動軸部６を介して取り付けられており、
防振体５の両端には下方に折り曲げられた折曲部５１・５１を有し、
この折曲部５１・５１が台座２の上面に位置する際は、折曲部５１・５１の下端が台座２の上面に当接すると共に、防振体５が回動軸部６の位置する中央部分を基点としてその両側が上方に彎曲した変形状態にあり、
防振体５を水平方向に回動させて前記折曲部５１・５１が台座２の上面から外れた位置となった際は、防振体５が湾曲した変形状態から復帰する（該復帰状態は完全である必要はなく、彎曲状態が一部残存している状態を含む。）ことにより折曲部５１・５１の下端が取付面７に当接する構成であること、
を主構成とするものである。
【００２７】
以下、本発明の構成について更に詳説する。
【００２８】
本発明の床置式配管支持具１の基本構成、即ち、台座２、２本の支持ボルト３・３、支持バンド４を有して成る部分については、この種の床置式配管支持具として公知公用の一般的構成のものを特別の制限なく用いることができる。尚、台座２は本実施例に示すような平板構成であることが好ましいが、プレスや折曲げによって周囲において立ち上げた構成であってもよい。
【００２９】
台座２に取り付けられる防振体５は、上記したように弾性を有する線状材ないし棒状材から形成されており、弾性を有する線状材ないし棒状材としては、例えば、ステンレス鋼やアルミ合金等からなる線材や細棒材を挙げることができる。
【００３０】
防振体５の台座２への固定は、略中央に設けられた回動軸受孔５２を、カシメリベット固定等に代表されるカシメ固定や、ネジやボルト等に代表される螺合固定等によって固定する構成を挙げることができる。尚、回動軸受孔５２は、本実施例では丸曲げ加工によって形成しているが、この部分を潰し加工し、この潰された部分に透孔を穿つことにより形成することもできる。
【００３１】
防振体５の折曲部５１・５１の折曲長さとしては、回動後の状態、即ち、折曲部５１・５１が台座２の上面から外れて取付面７の上面側に移動した際に、該折曲部５１・５１の下端が取付面７に各々当接する長さで折り曲げられるものであり、台座２の厚みや、台座２に取り付けられた防振体５の取付面７からの高さに応じて適宜設定される。この回動後に取付面７の上面に折曲部５１・５１の下端が当接する長さに設定されるが故に、回動前の状態、即ち、その全体が台座２の上面に位置し、且つ、折曲部５１・５１の下端が台座２の上面に当接している状態の時には、防振体５は回動軸部６の位置する中央部分を基点としてその両側が上方に彎曲した状態となる。この状態では、防振体５が有している弾性によって折曲部５１・５１の下端が台座２を押圧した状態で当接しているので、防振体５は床置式配管支持具１の移動時や取付時に様々な向きになったとしても勝手に回動することなく、その配設位置を自ずと維持することができる。
【００３２】
床置式配管支持具１の取付面７への取付けに際して、取付面７に台座２を取付けると共に防振体５を回動させることにより、台座２が取付面７に固定されるだけでなく、該台座２の配管軸方向の両側において防振体５の折曲部５１・５１が取付面２の上面に当接することになるので、より安定した固定となる。従って、耐震ないし防振性を発揮した床置式配管支持具１の支持バンド４に抱持支持される配管は安定した状態で抱持支持されることになる。また、防振体５を回動させた後は、折曲部５１・５１の下端は防振体５が有する弾性により台座２の上面よりも下方に位置することになることによって台座２の上面に後戻りすることがないので、回動状態を固定するネジ留め等の保持手段が不要である。尚、防振体５を元の状態である台座５の上面位置に復帰させる際は、折曲部５１・５１の下端位置が台座５の上面より上方となるように防振体５をその弾性に抗して彎曲させた後に逆方向に回動させればよい。
【００３３】
以上、本発明に係る床置式配管支持具の実施例について説明したが、本発明は上記構成に限定されず、本発明の範囲内において種々の態様を採ることができる。
【００３４】
例えば、図５に仮想線（点線）で示すように、突起部２１を台座２の上面に任意の位置に設けることにより、防振体５が、その長手方向が配管軸方向と一致した状態まで回動した際に、それ以上に回動しないように規制する構成とすることもできる。かかる構成によれば、耐震ないし防振性が最も発揮される向きに防振体５を固定することができる。
【００３５】
また、図７に示すように、折曲部５１・５１の下端が延長されると共に更に水平方向に折り曲げることによって取付面７に線接触する接地部５３が連設される構成とすることもできる。かかる構成によれば、取付面７に対する防振体５の接地面積を増やすことができるので、耐震ないし防振性がより向上する。接地部５３の折曲方向としては、本実施例では防振体５の長手方向に折り曲げた構成としているが、回動方向と一致する横方向としてもよいし、斜め方向とすることもできる。
【００３６】
更に、図８、図９に示すように、接地部５３・５３に透孔５４・５４を形成し、この透孔５４・５４を介してボルトの如き固定手段により取付面７に防振体５を固定する構成とすることもできる。図８に示す透孔５４は、接地部５３を丸曲げ加工し、この丸曲げ部分内が透孔５４となる構成である。図９に示す透孔５４は、接地部５３を潰し加工し、この潰し部分に透孔５４を穿つことにより形成する構成である。これらの構成によれば、床置式配管支持具１の取付面７に対する固定をより強固にすることができるため、耐震ないし防振性を更に向上させることができる。
【符号の説明】
【００３７】
１  床置式配管支持具
２  台座
２１  突起部
３  支持ボルト
４  支持バンド
５  防振体
５１  折曲部
５２  回動軸受孔
５３  接地部
５４  透孔
６  回動軸部
７  取付面
【図１】
2019196786.tif 000003
【図２】
2019196786.tif 000004
【図３】
2019196786.tif 000005
【図４】
2019196786.tif 000006
【図５】
2019196786.tif 000007
【図６】
2019196786.tif 000008
【図７】
2019196786.tif 000009
【図８】
2019196786.tif 000010
【図９】
2019196786.tif 000011
【手続補正書】
【提出日】令和1年7月29日(2019.7.29)
【手続補正１】
【補正対象書類名】特許請求の範囲
【補正対象項目名】請求項６
【補正方法】変更
【補正の内容】
【請求項６】
接地部が、丸曲げ加工され、この丸曲げ部分内に透孔が形成されており、該透孔を介して固定手段により取付面に防振体を固定することが可能な構成であることを特徴とする請求項５に記載の床置式配管支持具。
【手続補正２】
【補正対象書類名】特許請求の範囲
【補正対象項目名】請求項７
【補正方法】変更
【補正の内容】
【請求項７】
接地部が、潰し加工され、この潰し部分に透孔が形成されており、該透孔を介して固定手段により取付面に防振体を固定することが可能な構成であることを特徴とする請求項５に記載の床置式配管支持具。
【手続補正３】
【補正対象書類名】明細書
【補正対象項目名】００１３
【補正方法】変更
【補正の内容】
【００１３】
６．接地部が、丸曲げ加工され、この丸曲げ部分内に透孔が形成されており、該透孔を介して固定手段により取付面に防振体を固定することが可能な構成であることを特徴とする上記５に記載の床置式配管支持具。
【手続補正４】
【補正対象書類名】明細書
【補正対象項目名】００１４
【補正方法】変更
【補正の内容】
【００１４】
７．接地部が、潰し加工され、この潰し部分に透孔が形成されており、該透孔を介して固定手段により取付面に防振体を固定することが可能な構成であることを特徴とする上記５に記載の床置式配管支持具。